(57)【特許請求の範囲】
【請求項１】
一定間隔で外方向に延びる入力係合片を有する入力部材と、前記入力係合片と互いに入り込んで係合することができる出力係合片を備える出力部材と、円筒状内面と円筒状外面とを有する外輪部材と、互いに隣り合う前記入力係合片と前記入力係合片との間であって前記出力係合片の先端面と前記外輪部材の前記円筒状内面との間に位置する１個の係合部材とを備え、前記入力部材に働く入力は前記入力係合片が前記出力係合片と前記係合部材とを押すことにより前記出力部材に伝達され、前記出力部材に働く逆入力は前記係合部材が前記出力係合片の先端面と前記外輪部材の前記円筒状内面との間にロックされることにより前記入力部材に伝達されない逆入力遮断クラッチにおいて、
前記係合部材が少なくとも前記外輪部材の前記円筒状内壁面に沿っていずれかの方向に動くのを制動する制動力を前記係合部材に与える制動部材を備え、
該制動部材は、前記外輪部材の前記円筒状内面を直接押圧し摩擦力を生じて    該摩擦力による前記制動力を生じるばね部と前記係合部材を保持して制動する制動片とを備えるものであり、前記入力部材に働く入力及び前記出力部材に働く逆入力は前記係合部材を介して前記制動部材に伝わることを特徴とする逆入力遮断クラッチ。
【請求項２】
請求項１において、
前記係合部材に働く前記制動力は、前記係合部材に外力が働かないときには前記係合部材が動かない程度の大きさであることを特徴とする逆入力遮断クラッチ。
【請求項３】
請求項１又は請求項２において、
前記係合部材に働く前記制動力は、前記逆入力の働きにより前記出力部材の動く速度が前記入力による前記入力部材の動く速度よりも遅くなるように前記係合部材を制動する値よりも大きいことを特徴とする逆入力遮断クラッチ。
【発明の詳細な説明】
【技術分野】
【０００１】
この発明は、入力部材側からの入力は出力部材側に伝達され、出力部材側からの逆入力は入力部材側に伝達されない逆入力遮断クラッチに関する。
【背景技術】
【０００２】
駆動側である入力側からの回転駆動力が従動側である出力側に伝達され、出力側からの回転駆動力は入力側に伝達されない双方向の逆入力遮断クラッチは既に提案されている。比較的簡単な構造のこの種の逆入力遮断クラッチとして、一定の間隔で放射外方向に延びる複数の入力係合片を有する入力部材と、一定の間隔で放射外方向に延びる複数の出力係合片を有する出力部材と、ローラ又はボールなどからなる係合部材と、外輪部材とを組み合わせたものが開示されている（例えば、特許文献１、２参照）。
【０００３】
前掲の特許文献１、２に記載されている逆入力遮断クラッチは、複数の入力係合片と出力係合片とが互いに入り込んでおり、出力係合片の先端面と外輪部材の円筒状内面との間に係合部材が配置されている。この逆入力遮断クラッチにあっては、入力部材にいずれかの回転方向に入力が働くと、先ず入力の方向に入力部材が回転を始め、入力係合片が出力係合片と係合部材との双方を直接押すことによって、入力部材と出力部材と係合部材とが一緒に回転することによって入力が出力側に伝達される。他方、出力部材に回転力、つまり逆入力が加わった場合には、隣り合う入力係合片と入力係合片との間で出力係合片が微小角度だけ変位し、出力係合片が入力係合片に接触する前に、出力係合片の先端面と外輪部材の円筒状内面との狭い間隙部分に係合部材が食い込んでロックされるので、出力部材はそれ以上変位できない。したがって、この種の逆入力遮断クラッチは基本的には出力部材に逆入力が加わってもその逆入力が入力部材に伝達されない構造である。
【０００４】
また、ロック解除は、係合部材が外輪部材と出力係合片の左右どちらかに食い込んでロックしているかによって、入力係合片が係合部材又は出力係合片を直接押し、係合部材が出力係合片の先端面と外輪部材の円筒状内面との広い空間方向に動いて行われる。つまり、このような構造の逆入力遮断クラッチは、隣り合う入力係合片と入力係合片との間で出力係合片が小さな角度で変位する動きによって、入出力伝達とロックとロック解除とが行われることが知られている。このような逆入力遮断クラッチは、両方向の回転入力が出力部材に伝達され、基本的には出力部材に働く逆入力がどちらの方向であっても入力部材に伝達されない構造である。
【０００５】
しかしながら実際には、この種の構造の従来の逆入力遮断クラッチにあっては下記のような問題が生じることが分かった。一般的に逆入力遮断クラッチの動作上からローラ又はボールなどからなる係合部材は動き易い構造になっている。したがって、特に出力部材にいずれかの方向の逆入力が働いて出力部材が動くと、出力部材との接触抵抗によって動き易い係合部材も一緒に動いてしまうことがあり、係合部材が出力部材と外輪部材との間に短時間で食い込まない場合がある。つまり、出力部材に逆入力が働いたときに、短時間で係合部材が出力部材を外輪部材にロックすることができないから、ロック状態となる前に出力部材が入力部材に当接してしまい、出力部材に働いた逆入力が入力部材に伝達されることがある。
【０００６】
また、従来の逆入力遮断クラッチにあっては、前述したように個々の係合部材がそれぞれ動き易いようになっているので、出力部材にいずれかの方向の逆入力が働いて出力部材が動くとき、ある係合部材だけが最初に出力部材と外輪部材との間に食い込んで出力部材を外輪部材にロックさせ、他の係合部材は出力部材と外輪部材との間に食い込まない傾向がある。この場合には、出力部材に結合される負荷のほとんどの荷重を一部の係合部材だけが負うことになり、その一部の係合部材だけが摩耗するために逆入力遮断クラッチの寿命が短くなるという問題がある。
【先行技術文献】
【特許文献】
【０００７】
【特許文献１】特開２００１−２１４９４５号公報
【特許文献２】特開２００８−１０１７１５号公報
【発明の概要】
【発明が解決しようとする課題】
【０００８】
本発明は、上述のような従来の課題を解決することを目的とし、出力部材に逆入力が働くときには係合部材が出力部材を即座にロックさせることによって、出力部材に働く逆入力が入力部材に伝達されるのを確実に防ぎ、かつ出力部材をロックするときにすべての係合部材で負荷荷重をほぼ均等に分担することで、寿命が長く、信頼性の高い逆方向遮断クラッチを提供することを課題とする。
【課題を解決するための手段】
【０００９】
第１の発明は、一定間隔で外方向に延びる入力係合片を有する入力部材と、前記入力係合片と互いに入り込んで係合することができる出力係合片を備える出力部材と、円筒状内面と円筒状外面とを有する外輪部材と、互いに隣り合う前記入力係合片と前記入力係合片との間であって前記出力係合片の先端面と前記外輪部材の前記円筒状内面との間に位置する１個の係合部材とを備え、前記入力部材に働く入力は前記入力係合片が前記出力係合片と前記係合部材とを押すことにより前記出力部材に伝達され、前記出力部材に働く逆入力は前記係合部材が前記出力係合片の先端面と前記外輪部材の前記円筒状内面との間にロックされることにより前記入力部材に伝達されない逆入力遮断クラッチにおいて、前記係合部材が少なくとも前記外輪部材の前記円筒状内壁面に沿っていずれかの方向に動くのを制動する制動力を前記係合部材に与える制動部材を備え、該制動部材は、前記外輪部材の前記円筒状内面を直接押圧し摩擦力を生じて    その摩擦力による前記制動力を生じるばね部と前記係合部材を保持して制動する制動片とを備えるものであり、前記入力部材に働く入力及び前記出力部材に働く逆入力は前記係合部材を介して前記制動部材に伝わることを特徴とする逆入力遮断クラッチを提案する。
【００１２】
第２の発明は、前記第１の発明において、前記係合部材に働く前記制動力は、前記係合部材に外力が働かないときには前記係合部材が動かない程度の大きさであることを特徴とする逆入力遮断クラッチを提案する。
【００１３】
第３の発明は、前記第１の発明又は前記第２の発明において、前記係合部材に働く前記制動力は、前記逆入力の働きにより前記出力部材の動く速度が前記入力による前記入力部材の動く速度よりも遅くなるように前記係合部材を制動する値よりも大きいことを特徴とする逆入力遮断クラッチを提案する。
【発明の効果】
【００１５】
本発明によれば、出力部材に働く逆入力が入力部材に伝達されるのを確実に防ぎ、かつ寿命が長く、信頼性の高い逆方向遮断クラッチを提供することが可能である。
【図面の簡単な説明】
【００１６】
【図１】本発明の実施形態１に係る逆入力遮断クラッチの組み立て前の各部材を斜めから見た一例を示す。
【図２】本発明の実施形態１に係る逆入力遮断クラッチの制動部材の一例を示す図である。
【図３】本発明の実施形態１に係る逆入力遮断クラッチの断面を示す図である。
【図４】本発明の実施形態１に係る逆入力遮断クラッチの動作を説明するための図である。
【図５】本発明の実施形態２に係る逆入力遮断クラッチを説明するための図である。
【図６】本発明の実施形態３に係る逆入力遮断クラッチを説明するための図である。
【図７】本発明の実施形態４に係る逆入力遮断クラッチを説明するための図である。
【図８】本発明の実施形態５に係る逆入力遮断クラッチを説明するための図である。
【発明を実施するための形態】
【００１７】
本発明に係る逆入力遮断クラッチは、印刷装置や遊戯機などにおける可動部材（負荷）が結合される出力部材に、その負荷の重量などによって逆入力がかかるとき、制動部材の制動力によって係合部材が動かないので、短時間ですべての係合部材が出力部材と外輪部材との間に食い込んでロック状態とすることにより、逆入力を入力部材に確実に伝達しないところに特徴がある。
【００１８】
添付の図面を参照して本発明の実施形態を説明する。以下に示す実施形態によって、本発明は限定されるものではなく、本発明の技術思想から逸脱しない限り、本発明に含まれるものとする。また、本発明で用いる逆入力という用語は、出力部材に結合される負荷の重量や外力などによって、出力部材に働く力を意味する。なお、本明細書及び図面において、符号が同じ構成要素は同一の名称の部材を示すものとする。なお、本発明の動作を説明する上で特に必要とならない部材については図示を省略する。
【００１９】
［実施形態１］
本発明に係る実施形態１の逆入力遮断クラッチについて図１〜図４により説明する。図１に示すようにこの逆入力遮断クラッチは、主に時計方向、反時計方向の力を受ける入力部材１、図示しない負荷が結合される出力部材３、ローラ又はボールなどからなる係合部材５、係合部材５を制動する制動部材７、外輪部材９、及びシールド部材（蓋）１１を組み合わせたものからなる。入力部材１及び出力部材３は、前掲の特許文献２に記載されたものと基本的には同様であるので説明を簡単にする。
【００２０】
入力部材１は図１に示すように、中央穴１Ａを有する入力係合部１Ｂと、入力係合部１Ｂから一定間隔で放射外方向（組み立てたときに外輪部材９の方向）に延びる第１の入力係合片１Ｃ、第２の入力係合片１Ｄとからなる。隣り合う入力係合片１Ｃと入力係合片１Ｃとの間の間隔は、係合部材５の回転方向の径よりも予め決めた寸法だけ大きい。第１の入力係合片１Ｃは第２の入力係合片１Ｄよりも外側に位置し、入力係合片１Ｃと入力係合片１Ｄとの間の空隙は、組み立て時に後述する制動部材７の制動片７Ｄ（図２）を受け入れることができる空隙幅、つまり制動片７Ｄの厚みよりも幾分大きな空隙幅を有する。中央穴１Ａには図示しないモータの回転軸などに結合された入力軸が挿入され固定される。外輪部材９内で入力部材１が安定に回転動作を行うように、第１の入力係合片１Ｃの最外側面と外輪部材９の円筒状内面との間には微小な間隙があるのが好ましい。この実施形態１では互いに合同の形状の第１の入力係合片１Ｃ、互いに合同の形状の第２の入力係合片１Ｄはそれぞれ５個であるが、３個以上であればよい。
【００２１】
出力部材３は、図１に示すように、出力軸部３Ａとその一方の先端部に一体的に形成された出力係合部３Ｂと、出力係合部３Ｂから一定の間隔で放射外方向に延びる出力係合片３Ｃとからなる。この実施形態１では、第１の入力係合片１Ｃが５個であることから出力係合片３Ｃも５個としたが、３個以上であれば安定した逆入力遮断クラッチ機能を果たすことができる。入力部材１と出力部材３とを組み合わせたとき、各出力係合片３Ｃは隣り合う第１の入力係合片１Ｃと入力係合片１Ｃとの間の空隙、及び隣り合う第２の入力係合片１Ｄと入力係合片１Ｄとの間の空隙に対応する位置にある。
【００２２】
つまり、入力部材１と出力部材３とを組み合わせたとき、少なくとも各出力係合片３Ｃは隣り合う第２の入力係合片１Ｄと入力係合片１Ｄとの間に位置する。それぞれの出力係合片３Ｃの先端面３Ｃ１と外輪部材９の円筒状内面９Ａとの間には、係合部材５を受け入れ、係合部材５が出力係合片３Ｃの先端面３Ｃ１と外輪部材９の円筒状内面との間で後述するクラッチ機能を行うことができる空間がある。入力が働いて入力部材１が回転するとき、係合部材５が出力係合片３Ｃの左右どちらに食い込んでロックしているかによって、最初に入力係合片１Ｃの回転方向の側壁が係合部材５を押すか、又は第２の入力係合片１Ｄが出力係合片３Ｃを押してロック状態を解除する。
【００２３】
また、各出力係合片３Ｃの回転方向の幅は隣り合う第２の入力係合片１Ｄと入力係合片１Ｄとの間隔よりも狭く、出力係合片３Ｃは隣り合う第２の入力係合片１Ｄと入力係合片１Ｄとの間で設定角度だけ回転方向に変位できるようになっている。出力係合片３Ｃはすべて合同の形状であることが好ましい。出力係合片３Ｃの先端面３Ｃ１は緩やかな湾曲又はＶ字状、あるいは平坦になっており、係合部材５を支持する支承面を形成する。入力が働いて第１の入力係合片１Ｃが係合部材５を押し、第２の入力係合片１Ｄが出力係合片３Ｃを押すことによって、これらが一緒に回転しているとき、係合部材５は出力係合片３Ｃの先端面３Ｃ１のほぼ中央に位置し、出力係合片３Ｃと外輪部材９との間に噛み付かず、ロックしない。なお、出力軸部３ＡにはＤカット部分３Ａａが形成されている。
【００２４】
係合部材５は、例えばローラ（コロ）、ボール、楕円状体などであり、図１に示す出力係合片３Ｃの先端面３Ｃ１に接触する面が弧状であれば、特に形状に制限されない。また、係合部材５の個数は出力係合片３Ｃの数と同じであるのが好ましいが、３個以上であれば安定に動作する。この逆入力遮断クラッチに組み立てた状態では、係合部材５は隣り合う入力係合片１Ｃと入力係合片１Ｃと出力係合片３Ｃの先端面３Ｃ１と外輪部材９の円筒状内面９とで囲まれる空間に位置する。係合部材５が出力係合片３Ｃの先端面３Ｃ１のほぼ中央に位置するときには、係合部材５は出力部材３と外輪部材９とをロックしないが、出力部材３がどちらかの方向に変位することにより係合部材５が出力係合片３Ｃの先端面３Ｃ１のいずれかの端側に偏った位置にあるとき、出力部材３と外輪部材９との間に食い込んでこれらをロックする。
【００２５】
この実施形態１の制動部材７は、耐摩耗性に優れ、弾力性を有する合成樹脂などを成形するなどして造られる。図２（Ａ）、（Ｂ）に示すように、制動部材７は出力部材３の出力軸部３Ａを挿通させる穴７Ａ１を有する円環状の本体部７Ａと、本体部７Ａとの間に空隙が存在し、一部分で本体部７Ａに結合された鍔部７Ｂと、外輪部材９の円筒状内面との間に摩擦力を生じるばね部７Ｃと、一定の間隔で本体部７Ａから軸方向に突出する制動片７Ｄとからなる。制動部材７は係合部材５に制動力を与えると共に、係合部材５が出力部材３と外輪部材９とをロックするときにすべての係合部材５がほぼ同時にロックするように保持する制動機能付きリテーナの働きを行う。本体部７Ａの穴７Ａ１は出力部材３の出力軸部３Ａの直径よりも幾分大きな直径を有する。
【００２６】
ばね部７Ｃは一対備えられており、それぞれのばね部７Ｃの中央部が結合部７Ｃ１で本体部７Ａに結合されている。それぞれのばね部７Ｃの両端部の外側には弧状の突起部７Ｃ２が形成されており、図３に示すように、組み立てた後にはばね部７Ｃの円弧状の突起部７Ｃ２が外輪部材９の円筒状内面９Ａを押圧する。したがって、ばね部７Ｃの弧状の突起部７Ｃ２と外輪部材９の円筒状内面９Ａとの間には、ばね部７Ｃの弾性力によって摩擦力が働き、係合部材５が外輪部材９の円筒状内面９Ａに沿って動くときに、制動部材７は係合部材５に制動力を与える。
【００２７】
制動部材７の制動力は、ばね部７Ｃの弧状の突起部７Ｃ２と外輪部材９の円筒状内面９Ａとの間に働く摩擦力の大きさによって決まる。この実施形態１における制動部材７の制動力は、入力部材１に働く入力（駆動力）をできるだけ小さくするために、係合部材５がその自重などによって勝手に、つまり外力が働かなければ動かない程度の微小な摩擦力であることが望ましい。小形の逆入力遮断クラッチでは前記制動力は微小で足り、その摩擦力が必要な入力の大きさ及び回転動作に実質的に影響を与えない程度の大きさである。したがって、制動部材７の制動力は係合部材５に回転方向の外力が働かなければ係合部材５が動かない程度の値、若しくはそれよりも大きい値である。
【００２８】
制動片７Ｄは入力係合片１Ｃ、出力係合片３Ｃ、係合部材５が５個であるので、互いに合同のものが５個形成される。隣り合う制動片７Ｄと制動片７Ｄとの間隙は、隣り合う第１の入力係合片１Ｃと入力係合片１Ｃとの間の間隙、隣り合う第２の入力係合片１Ｄと入力係合片１Ｄとの間の間隙よりも小さく、係合部材５を保持する。図３に示すように、制動片７Ｄは第１の入力係合片１Ｃと第２の入力係合片１Ｄとの間に位置して、係合部材５がローラであるとき、そのローラの長手方向の一部分、例えばローラの出力係合片３Ｃ側（右側部分）を回転方向の両側から保持する。
【００２９】
したがって、両側の制動片７Ｄによってそれぞれ保持される係合部材５には制動力が働くので、係合部材５は外力が働かなければ動くことがなく、逆入力によって出力係合片３Ｃが変位するとき、すべての係合部材５がそれぞれの出力係合片３Ｃの先端面３Ｃ１と外輪部材９の円筒状内面９Ａとの間に即座かつ同時に食い込んでロックする。このロック動作によって、出力部材３に働く逆入力は確実に遮断されるので、その逆入力が入力部材１に伝達されることはない。また、一部の係合部材５だけに負荷荷重がかかることが無く、負荷荷重を均等に分担するので、一部の係合部材５だけが摩耗することが無いので、クラッチ動作の信頼性を向上すると同時に寿命を向上させる。
【００３０】
外輪部材９は、図１に示すように円筒状内面９Ａと、図示しないハウジングに係止される係止部９Ｂ１を有する円筒状外面９Ｂと、出力部材３の出力軸部３Ａを挿通させる貫通穴９Ｃ１を有する円環状端壁部９Ｃとを有する。図１では係止部９Ｂ１を突起で示しているが、溝などの凹所であってもよい。前記各部材を組み立てて外輪部材９に収納した後に、円環状のシールド部材１１を外輪部材９に固定する。この固定は一般的なスポット溶接や圧入などの方法で行われる。なお、シールド部材１１は入力部材１の入力係合部１Ｂの一部分を挿通させる挿通穴１１Ａを有する。
【００３１】
先ず、図４（Ａ）に示すように、出力部材３に結合される不図示の負荷を上方向に移動、つまり出力部材３に働く逆入力とは逆方向の時計方向（矢印Ｘの方向）に入力部材１を回転させる場合について説明する。入力部材１に矢印Ｘの方向の入力が働くと、第１、第２の入力係合片１Ｃと１Ｄは矢印Ｘの方向に動き、第１の入力係合片１Ｃは係合部材５を矢印Ｘの方向に押し、第２の入力係合片１Ｄは出力係合片３Ｃに当たって矢印Ｘの方向に押す。このとき係合部材５は、制動部材７によって制動された状態で矢印Ｘの方向に幾分動いて出力係合片３Ｃの先端面３Ｃ１のほぼ中央に位置することになり、ロック状態が解除される。この場合、入力部材１に働く入力は係合部材５を介して制動部材７に伝わる。
【００３２】
ロック状態が解除されると、入力部材１の入力によって出力部材３、係合部材５及び制動部材７は入力部材１と一緒に矢印Ｘの方向に回転し、入出力の伝達が行われる。この際、前述したように制動部材７と外輪部材９との間には摩擦力が生じるが、その摩擦力が微小であれば、入力部材１に働く入力を出力部材３に伝達する動作に実質的に悪影響を与えることはない。
【００３３】
次に、出力部材３に結合された不図示の負荷が設定された上側設定位置に到達し、その負荷を下方向に駆動する場合について述べる。不図示の負荷が設定された上側設定位置に到達したとき、少なくとも一旦は入力部材１に働いていた入力はゼロとなるが、出力部材３には負荷などの重量によって当然に反時計方向（矢印Ｙの方向）の逆入力が働いている。このとき、係合部材５には当然に制動部材７による制動力が働いているので、入力部材１に働いていた入力がゼロになるとき、係合部材５は矢印Ｙの方向に外力が働かなければ勝手に動くことが無いので、逆入力によって出力係合片３Ｃが矢印Ｙの方向に変位するときに短時間で各係合部材５がそれぞれの出力係合片３Ｃと外輪部材９との間に同時に食い込んで、ロック状態を呈する。
【００３４】
このロック状態になるとき、前述したように各係合部材５がそれぞれの出力係合片３Ｃと外輪部材９との間に同時に食い込んで、ロック状態を呈するので、１個の係合部材５だけが出力係合片３Ｃと外輪部材９との間に食い込んでロック状態を呈するということがない。したがって、一部の係合部材５の摩耗が激しくなることはなく、これにより外輪部材９の円筒状内面９Ａに傷がつき易くなるといったことが無いので、逆入力遮断クラッチの寿命、信頼性を向上させることができ、また、確実に逆入力を遮断できる逆入力遮断クラッチを提供することができる。なお、この状態では入力部材１に矢印Ｙの方向の入力が働いて係合部材５を矢印Ｙの方向に押さない限り、ロック状態が解除されないので、逆入力で出力部材３が動くことはなく、出力部材３に働く逆入力は入力部材１に伝達されない。
【００３５】
この状態で図４（Ｂ）に示すように、出力部材３に働いている逆入力と同方向の矢印Ｙの方向の入力が入力部材１に働き、第１、第２の入力係合片１Ｃと１Ｄは鎖線で示す位置から実線で示す位置に変位するものとする。これに伴い、回転上流側（図面の上側）の第１、第２の入力係合片１Ｃと１Ｄは係合部材５と出力係合片３Ｃを矢印Ｙの方向に押すので、前述のロック状態は解除される。ロック状態が解除されることによって、前述したように、入力部材１に働く矢印Ｙの方向の入力によって出力部材３、係合部材５及び制動部材７は矢印Ｙの方向に回転し、入力部材１と出力部材３との間で入出力の伝達が行われる。
【００３６】
このように入出力の伝達が行われているとき、入力部材１に働いていた入力が除去され、入力がゼロになると、入力部材１は回転を停止する。これと同時に、制動部材７の制動力によって係合部材５も停止するが、不図示の負荷の荷重などによる逆入力によって出力部材３の出力係合片３Ｃが回転しようとするので、各係合部材５がそれぞれの出力係合片３Ｃと外輪部材９との間に短時間で食い込んで、ロック状態を呈し、すべての係合部材５が逆入力をほぼ均等に負担して確実に逆入力を遮断できる。
【００３７】
［実施形態２］
実施形態１では図２に示したように、ばね部７Ｃが本体部７Ａと一体的に形成された構造の制動部材７であったが、実施形態２の逆入力遮断クラッチは図５に示すように、本体部７Ａとは別に形成されたばね部７Ｃを本体部７Ａに取り付けた構造の制動部材７を用いることが実施形態１のものと異なる。このような点が実施形態１と異なるので、主に制動部材７について説明する。この制動部材７によれば、本体部７Ａを合成樹脂などで形成し、ばね部７Ｃをばね性と耐摩耗性に優れた金属材料などで形成することが可能である。この制動部材７も係合部材５を保持すると共に係合部材５に制動力を与える働きを行う。なお、図５は入力部材１、出力部材３、係合部材５及び制動部材７を組み立てたものを外輪部材９に収納する前の状態を示す。
【００３８】
この制動部材７は、図１、図３に示す出力部材３の出力軸部３Ａを挿通する穴を囲むように形成された円環状の係止部７Ｅを有し、係止部７Ｅには放射外方向に延びる回り止め部７Ｅ１が形成されている。ばね力によって円環状の係止部７Ｅを締め付けるようにばね部７Ｃが係止部７Ｅに係止される。ばね部７Ｃは特殊な形状のばね体からなり、ばね力によって円環状の係止部７Ｅを締め付ける第１の部分７Ｃ３、制動部材７の回り止め部７Ｅ１を締め付けて回り止めの働きを行う第２の部分７Ｃ４、外輪部材９の円筒状内面９Ａとの間に摩擦力を生じる第３の部分７Ｃ５からなる。第１の部分７Ｃ３及び第３の部分７Ｃ５は第２の部分７Ｃ４を基準にしてほぼ対称的な形状になっている。実施形態２でも、制動部材７の制動力は係合部材５に回転方向の外力が働かなければ係合部材５が動かない値程度、若しくはそれよりも大きい。なお、図２と図４で示した制動片７Ｄ、入力係合片１Ｄは図５では見えないが、実施形態１と同様である。動作についても実施形態１と同じであるので、説明を省略する。
【００３９】
[実施形態３]
図６によって実施形態３に係る逆入力遮断クラッチの一例を説明する。この実施形態３では、制動部材７が外輪部材９の円筒状内面９Ａとの間に摩擦力を生じるばね部分を備えず、係合部材５の一部分に外輪部材９方向の押圧力を与えて係合部材５を外輪部材９の円筒状内面９Ａに押圧する押圧部７Ｆを有する構造であること、及び入力部材１の第１の入力係合片１Ｃが前述した実施形態１、２の第１、第２の入力係合片１Ｃと１Ｄとを一つにして入力係合片１Ｃとした構造である点が実施形態１、２と異なる。制動部材７は、弾力性に富んだ金属材料又は合成樹脂材料からなり、外力によって変形可能な押圧部７Ｆと変形し難い節部７Ｇとからなり、押圧部７Ｆと節部７Ｇとが交互に位置する。外力がかからないときには、押圧部７Ｆと節部７Ｇとは５角形状の環状のものであり、外力がかかるとき、押圧部７Ｆが外輪部材９の中心方向に若干変形する。各押圧部７Ｆの中央部には肉厚部７Ｆａが形成されており、係合部材５の一部分は肉厚部７Ｆａと外輪部材９の円筒状内面９Ａとの間に適当な押圧力で挟まれている。
【００４０】
入力部材１、出力部材３に外力がかからない中立状態では、各押圧部７Ｆの肉厚部７Ｆａが出力部材３の各出力係合片３Ｃの先端面３Ｃ１のほぼ中央に相当する位置にある。係合部材５が組み込まれない状態では、各押圧部７Ｆの肉厚部７Ｆａと外輪部材９の円筒状内面９Ａとの間の間隙はローラのような係合部材５の直径よりも幾分小さくなっており、各押圧部７Ｆの肉厚部７Ｆａは少なくとも各出力係合片３Ｃの先端面３Ｃ１のほぼ中央よりも少しだけ外輪部材９側に存在する。
【００４１】
係合部材５が図６のように組み込まれた状態では、当然に押圧部７Ｆは係合部材５によって外輪部材の中心方向に押されて幾分撓んでいるので、押圧部７Ｆの肉厚部７Ｆａは押圧部７Ｆの弾性力によって係合部材５を外輪部材９の円筒状内面９Ａに押し付ける。したがって、係合部材５と外輪部材９の円筒状内面９Ａとの間に小さな摩擦力が生じ、この摩擦力による小さな制動力の働きによって係合部材５は幾分動き難くなっており、外力が働かなければ動くことができない。
【００４２】
前述したように、不図示の負荷が設定された上側設定位置に到達したとき、少なくとも一旦は入力部材１に働いていた入力はゼロとなる。このとき、図４に示したように、出力部材３には不図示の負荷などによって下方向に対応する矢印Ｙの方向の逆入力が働いている。負荷が設定された上側設定位置にある場合、出力部材３に働く逆入力によって矢印Ｙの方向に動くと、制動部材７の押圧部７Ｆによって外輪部材９の円筒状内面９Ａに押圧されている各係合部材５は動き難くなっているから、短時間でそれぞれの出力係合片３Ｃと外輪部材９との間に同時に食い込んで、ロック状態を呈する。なお、入力部材１に入力が働いて出力部材３と係合部材５とを押さない限り、ロック状態が解除されることはなく、出力部材３に働く逆入力は入力部材１に伝達されない。実施形態３でも、制動部材７の制動力は係合部材５に回転方向の外力が働かなければ係合部材５が動かない値程度、若しくはそれよりも大きい。制動部材７による制動力の働きや効果などについては、前述した実施形態１、２とほぼ同様であるので、これ以上説明しない。
【００４３】
［実施形態４］
図７によって実施形態４に係る逆入力遮断クラッチの一例を説明する。この実施形態４は、実施形態３とほぼ同様な構成であり、実施形態３に比べて係合部材５の一部分を外輪部材９の円筒状内面９Ａに押圧する制動部材７の押圧部７Ｆの押圧力を大きくしたことが異なる。制動部材７は、弾力性に富んだ金属材料又は合成樹脂材料からなり、押圧部７Ｆと節部７Ｇとが交互に位置する。外力がかからないときには、押圧部７Ｆと節部７Ｇとは５角形状の環状のものである。図７に示すように、各係合部材５を外輪部材９の円筒状内面９Ａと弾力性の豊かな押圧部７Ｆとの間に圧入することによって、押圧部７Ｆは外輪部材の中心方向に押されて湾曲し、所望の押圧力で係合部材５を外輪部材９の円筒状内面９Ａに押し付けて、摩擦力を生じる。この摩擦力が係合部材５の制動力となり、その制動力は実施形態１〜３の場合よりも大きい。
【００４４】
制動部材７の制動力について、図４などを用いて説明する。前述したように、不図示の負荷が設定された上側設定位置に到達したとき、少なくとも一旦は入力部材１に働いていた入力はゼロとなる。このとき、図４に示したように、出力部材３には不図示の負荷などによって下方向に対応する矢印Ｙの方向の逆入力が働いている。負荷が設定された上側設定位置にある場合、出力部材３に働く逆入力によって、押圧部７Ｆによって外輪部材９の円筒状内面９Ａに押圧されている各係合部材５は動きにくいから即座にそれぞれの出力係合片３Ｃと外輪部材９との間に同時に食い込んで、ロック状態を呈する。なお、この状態では入力部材１に入力が働いて出力部材３と係合部材５とを押さない限り、ロック状態が解除されることはなく、出力部材３に働く逆入力は入力部材１に伝達されない。
【００４５】
このロック状態で、出力部材３に働いている逆入力と同方向の入力が入力部材１に働くと、入力係合片１Ｃは係合部材５と出力係合片３Ｃを押すので、前記したロック状態は解除される。しかし、前述したように各係合部材５と外輪部材９の円筒状内面９Ａとの間に摩擦力を生じているので、つまり制動部材７が各係合部材５に制動力を与えるので、係合部材５が逆入力によって下方向に対応する回転方向に動こうとする出力部材３を動きにくくする。
【００４６】
次に、出力部材３に結合される負荷の荷重などによる逆入力によって出力部材３が回転する方向と入力部材１に働く入力との方向が同方向（例えば矢印Ｙの方向）である場合について下記に説明する。制動部材７の制動力が出力部材３に働く逆入力と同等以上の場合には、入力部材１が出力部材３を矢印Ｙの方向に押さない限り、制動部材７及び係合部材５は逆入力によって矢印Ｙの方向に動くことはない。しかし、入力部材１に働く入力を出力部材３に伝達する動作時に、大きな入力が必要になる。制動部材７の制動力が出力部材３に働く逆入力よりも小さい場合には、入力部材１が出力部材３を矢印Ｙの方向に押さなくとも、出力部材３と外輪部材９との間に食い込んでロックするまで制動部材７及び係合部材５は逆入力によって矢印Ｙの方向に微小ではあるが動く。
【００４７】
例えば、制動部材７の制動力が実施形態１〜３程度、若しくはそれよりも小さければ、実施形態１〜３に比べて係合部材５は同程度又はそれよりも動き易いので、出力部材３に働く逆入力によって出力部材３が動くとき、出力部材３との間に働く摩擦力などによって係合部材５も矢印Ｙの方向に微小ではあるが動く。しかしこのとき、係合部材５には小さな制動力が働いているので、出力部材３がある程度動いたときに係合部材５が出力係合片３Ｃの先端面３Ｃ１と外輪部材９の円筒状内面９Ａとの間に食い込んでロックする。このロック状態で第１の入力係合片１Ｃが追いついて係合部材５と出力係合片３Ｃとを押すのでロック状態を解除する。これら動作を繰り返すことによって、出力係合片３Ｃは断続的に矢印Ｙの方向に動くので、出力部材３に結合される不図示の負荷が断続的に下方向に移動するという問題が生じる場合がある。
【００４８】
前述から分かるように、制動部材７の制動力が、逆入力によって制動部材７、係合部材５及び出力部材３が矢印Ｙの方向に動く速度を入力部材１の矢印Ｙの方向への速度よりも小さくできる値以上であれば、入力が逆入力と同方向である場合にも、ロックが解除されたときに出力部材３及び係合部材５が入力部材１よりも速く動くことはなく、出力部材３及び係合部材５は入力部材１とほぼ当接した状態で下側の設定位置まで動く。このように、出力部材３、係合部材５及び制動部材７は入力部材１に押されて入力部材１と一緒に動くので、出力部材３に結合される不図示の負荷が断続的に下方向に移動するという問題を解決でき、入力部材に働く入力がいずれの方向であっても負荷を断続することなくスムーズに移動させることができる。
【００４９】
また、本発明に係る逆入力遮断クラッチを組み込んでなる製品を工場から出荷するにあたって、出力部材３に結合された不図示の負荷をそれ以上は上側に動かない上限位置に配置することによって、輸送中における振動などによって、不図示の負荷に上下方向の力が働いても、その負荷が位置ずれを起こすことはない。つまり、負荷が結合された出力部材３は上限位置から上方向に相当する回転方向には機械的に動くことができず、上限位置から下方向に相当する反対の回転方向ではこの逆入力遮断クラッチが即座にロック状態となるので、負荷が上下いずれの方向にも動くことはない。したがって、納入先で負荷の位置などの再調整を行わなければならないといった課題を解決できる。
【００５０】
したがって、この実施形態４によれば実施形態１〜３と同様に、出力部材３に逆入力が働いたときに即座に制動力を受けているほとんどすべての係合部材５が出力部材３と外輪部材９との間に同時に食い込んでロック状態を呈するので、逆入力が出力部材に働くと即座にロック状態となると共に、一部の係止部材だけが摩耗するということが起こらない。また、出力部材に結合される負荷を下方向に駆動する場合にも、制動部材７の制動力によって出力部材３と係合部材５とが入力部材１に当接して一緒に動くので、負荷が断続的に動作することなく、スムーズに駆動できるという効果も奏する。
【００５１】
［実施形態５］
この実施形態５では、図８に示すように、制動部材７が弾性結合部材８を介して入力部材１に結合されているところが実施形態１〜４とは異なる。制動部材７は実施形態１，２のように外輪部材９の円筒状内面９Ａとの間で摩擦力を生じる必要はなく、また、実施形態３、４のように係合部材５を外輪部材９の円筒状内面９Ａに押圧して、係合部材５と外輪部材９の円筒状内面９Ａとの間に摩擦力を生じる必要はない。つまり、入力を入力部材１から出力部材３に伝達する動作時に、制動部材７による摩擦力による損失（トルクロス）を無くすことができるという効果を奏する。しかし、必要によって制動部材７の前述した摩擦力を併用することは構わない。
【００５２】
図８によって実施形態５に係る逆入力遮断クラッチの一例を説明する。中心部に位置する出力部材３は実施形態１〜４のものと同様であるので説明を省略する。入力部材１は、係合部材５を回転方向に押す第１の入力係合片１Ｃと出力係合片３Ｃを回転方向に押す第２の入力係合片１Ｄとからなる入力係合片を有する。第２の入力係合片１Ｄは、第１の入力係合片１Ｃよりも図７の手前（軸方向手前）に突出しており、隣り合う出力係合片３Ｃと出力係合片３Ｃとの間に位置する。この実施例４でも入力係合片が５個の例を示しているが、３個以上であれば安定に動作する。
【００５３】
制動部材７については制動片７Ｄだけを示しているが、図２に示したような単一構造の制動部材７であって、ばね部７Ｃを削除した構造のものなど種々のものが考えられる。各制動片７Ｄは、板ばね又はスプリングばねなどのような弾性結合部材８によってそれぞれ第２の入力係合片１Ｄに結合されている。弾性結合部材８は、出力部材３に逆入力が働いて変位するときに、係合部材５を介して入力部材１に伝達される逆入力を緩和若しくは遮断する。弾性結合部材８が少なくともこのような働きを行えばよいので、１個以上の制動片７Ｄが１個以上の第２の入力係合片１Ｄに結合されていても良いし、制動部材を弾性材料で形成し、制動部材の一部分が弾性結合部材８として働く構造のものでもよい。この場合、入力部材１に結合される制動部材の一部分を弾性結合部材８と言う。
【００５４】
入力部材１にいずれかの方向に入力が働く場合には、制動部材７は出力部材３と係合部材５と一緒に入力部材１と共に回転し、制動部材７は係合部材５の保持作用を行うリテーナとして働く。ここで、この逆入力遮断クラッチを機器に組み込んだ状態では、一般的に入力部材１には不図示の駆動モータなどの駆動軸が結合されており、出力部材３からの逆入力で入力部材１を回転させるには大なり小なり実質的な力が必要である。入力部材１に入力が働かず、いずれかの方向の逆入力が出力部材３に働くとき、出力部材３の各出力係合片３Ｃが変位し、このときその変位する方向の力が係合部材５にかかる。
【００５５】
係合部材５にかかる力は制動部材７に伝達され、制動部材７に伝達された力は弾性結合部材８の弾性力によって吸収され、静止している入力部材１に実質的に伝達されない内に、係合部材５が出力係合片３Ｃと外輪部材９の円筒状内面９Ａとの間に食い込んでロック状態となる。つまり、制動部材７は弾性結合部材８を介して静止している入力部材１に係止されているので、出力係合片３Ｃが変位する動作を開始するとき制動部材７は係合部材５に制動力を与え、かつ弾性結合部材８が制動部材７に伝達された力を吸収するので、出力部材３に働いた逆入力は入力部材１に実質的に伝達されない状態で、係合部材５が出力係合片３Ｃと外輪部材９の円筒状内面９Ａとの間に短時間で食い込んでロック状態を呈する。
【００５６】
このロック状態で前記逆入力の方向と同じ方向の入力が入力部材１に働くとき、前述したようにロック状態は解除されるが、係合部材５は制動部材７によって制動されているために入力部材１よりも大きな速度で動くことはなく、入力部材１と一緒に動く。また、出力部材３だけが係合部材５よりも大きな速度で動くことはできないのは当然であるので、入力部材１に働く入力と出力部材３に働く逆入力とが同方向であっても、出力部材３と係合部材５と制動部材７は入力部材１と一緒に回転方向に動く。これによって、前述したように、出力部材３に結合される不図示の負荷が断続的に下方向に移動するという問題を解決でき、入力部材に働く入力がいずれの方向であっても負荷を断続することなくスムーズに移動させることができる。
【００５７】
更に実施形態５にあっては、入力部材１に働く入力を出力部材３に伝達する動作中は、前記実施形態１〜４とは違って外輪部材との間の摩擦力による制動部材７の制動力が生じないところが大きな違いである。したがって、入力を入力部材１から出力部材３に伝達する動作時に、制動部材７による摩擦力による損失（トルクロス）を無くすことができるから、入力を大きくする必要が無いことは勿論のこと、前述の摩擦力による熱や騒音の発生、あるいは制動部材や係合部材などの磨滅などを低減することもできる。しかも、実施形態５の逆入力遮断クラッチは実施形態１〜４と同様な効果を奏する。なお、実施形態１〜３の逆入力遮断クラッチにあっても、制動部材７の制動力が逆入力によって制動部材７及び係合部材５が矢印Ｙの方向に動く速度を入力部材１の矢印Ｙの方向への速度よりも小さくできる値以上になるようにばね力を高めれば、実施形態４と同様な効果を奏する。
【符号の説明】
【００５８】
１・・・入力部材
１Ａ・・・中央穴
１Ｂ・・・入力係合部
１Ｃ・・・第１の入力係合片（入力係合片）
１Ｄ・・・第２の入力係合片
３・・・出力部材
３Ａ・・・出力軸部
３Ｂ・・・出力係合部
３Ｃ・・・出力係合片
３Ｃ１・・・出力係合片３Ｃの先端面
５・・・係合部材
７・・・制動部材
７Ａ・・・本体部
７Ａ１・・・本体部に形成された穴
７Ｂ・・・鍔部
７Ｃ・・・ばね部
７Ｃ１・・・結合部
７Ｃ２・・・突起部
７Ｃ３・・・第１の部分
７Ｃ４・・・第２の部分
７Ｃ５・・・第３の部分
７Ｄ・・・制動片
７Ｅ・・・係止部
７Ｅ１・・・回り止め部
７Ｆ・・・押圧部
７Ｆａ・・・押圧部７Ｆの肉厚部
７Ｇ・・・節部
８・・・弾性係合部材
９・・・外輪部材
９Ａ・・・円筒状内面
９Ｂ・・・円筒状外面
９Ｂ１・・・係止部
９Ｃ・・・円環状端壁部
９Ｃ１・・・貫通穴
１１・・・シールド部材
１１Ａ・・・挿通穴
【図１】
0005655024.tif 000002
【図２】
0005655024.tif 000003
【図３】
0005655024.tif 000004
【図４】
0005655024.tif 000005
【図５】
0005655024.tif 000006
【図６】
0005655024.tif 000007
【図７】
0005655024.tif 000008
【図８】
0005655024.tif 000009